(57)【要約】【課題】呼気ガス分析装置においてガス濃度の校正を精度良く行うことで、精度の高い呼気ガス分析データを得ることを課題とする。【解決手段】  呼気中の所定ガスのガス濃度を測定する呼気ガス濃度測定部２３、２４と、大気ガス中の所定ガスのガス濃度を測定する大気ガス濃度測定部４２と、大気ガスおよび既知のガス濃度を有する校正ガスを用いて、前記呼気ガス濃度測定部２３、２４によるガス濃度測定値とガス濃度真値との関係式を算出し、当該関係式に基づき呼気中の前記所定ガスのガス濃度を校正する校正部５５と、を備え、前記校正部５５は、前記大気ガス濃度測定部４２により測定された大気ガス中の前記所定ガスのガス濃度を、大気ガス中の該所定ガスのガス濃度真値として前記関係式を算出する。【選択図】図２
2020192191.tif 000002
【特許請求の範囲】
【請求項１】
呼気中の酸素および二酸化炭素の少なくとも一方である所定ガスのガス濃度を測定する呼気ガス濃度測定手段と、
大気ガス中の酸素および二酸化炭素の少なくとも一方である所定ガスのガス濃度を測定する大気ガス濃度測定手段と、
大気ガスおよび既知のガス濃度を有する校正ガスを用いて、前記呼気ガス濃度測定手段によるガス濃度測定値とガス濃度真値との関係式を算出し、該関係式に基づき呼気中の前記所定ガスのガス濃度を校正する校正手段と、
を備え、
前記校正手段は、前記大気ガス濃度測定手段により測定された大気ガス中の前記所定ガスのガス濃度を、大気ガス中の該所定ガスのガス濃度真値として前記関係式を算出する、
呼気ガス分析装置。
【請求項２】
前記呼気ガス濃度測定手段は、前記大気ガスおよび校正ガスに含まれる前記所定ガスのガス濃度をそれぞれ測定し、
前記校正手段は、前記大気ガスの測定点および前記校正ガスの測定点における前記所定ガスのガス濃度測定値およびガス濃度真値に基づき、前記関係式を算出する、
請求項１に記載の呼気ガス分析装置。
【請求項３】
前記関係式は、前記大気ガスの測定点および前記校正ガスの測定点の２点を通る一次関数である、
請求項２に記載の呼気ガス分析装置。
【請求項４】
前記校正手段は、前記呼気ガス濃度測定手段により測定された呼気中の前記所定ガスのガス濃度測定値を、前記関係式にあてはめることで、前記呼気中の所定ガスのガス濃度真値を求めることにより、該所定ガスのガス濃度を校正する、
請求項１から３のいずれか一項に記載の呼気ガス分析装置。
【請求項５】
前記呼気ガス濃度測定手段は、呼気中の二酸化炭素のガス濃度を測定する第１の二酸化炭素濃度測定手段を備え、
前記大気ガス濃度測定手段は、大気ガス中の二酸化炭素のガス濃度を測定する第２の二酸化炭素濃度測定手段を備える、
請求項１から４に記載の呼気ガス分析装置。
【請求項６】
前記第２の二酸化炭素濃度測定手段のガス濃度測定精度は、前記第１の二酸化炭素濃度測定手段のガス濃度測定精度と比較し、高精度である、
請求項５に記載の呼気ガス分析装置。
【請求項７】
前記呼気ガス濃度測定手段は、呼気中の酸素のガス濃度を測定する酸素濃度測定手段を更に備え、
前記校正手段は、
前記第２の二酸化炭素濃度測定手段により測定された大気ガス中の二酸化炭素のガス濃度を、大気ガス中の二酸化炭素のガス濃度真値として、二酸化炭素に係る前記関係式を算出し、
大気ガス中の酸素のガス濃度真値を、大気ガス中の酸素濃度および二酸化炭素濃度を加算した濃度を示す所定の定数から前記第２の二酸化炭素濃度測定手段により測定された大気ガス中の二酸化炭素のガス濃度を減算することで算出し、酸素に係る前記関係式を算出する、
請求項５または６に記載の呼気ガス分析装置。
【請求項８】
呼気中の酸素および二酸化炭素の少なくとも一方である所定ガスのガス濃度を測定する呼気ガス濃度測定ステップと、
大気ガス中の酸素および二酸化炭素の少なくとも一方である所定ガスのガス濃度を測定する大気ガス濃度測定ステップと、
大気ガスおよび既知のガス濃度を有する校正ガスを用いて、前記呼気ガス濃度測定ステップによるガス濃度測定値とガス濃度真値との関係式を算出し、該関係式に基づき呼気中の前記所定ガスのガス濃度を校正する校正ステップと、を実行し、
前記校正ステップは、前記大気ガス濃度測定ステップにより測定された大気ガス中の前記所定ガスのガス濃度を、大気ガス中の該所定ガスのガス濃度真値として前記関係式を算出する、
方法。
【発明の詳細な説明】
【技術分野】
【０００１】
本発明は、呼気ガス分析装置に係り、特に、ガス濃度の校正に関するものである。
【背景技術】
【０００２】
従来、呼気ガス分析装置は、被験者の呼吸気中の測定対象ガスのガス濃度やガス量等を分析し、呼吸代謝に関する指標を求める呼吸代謝測定等の生体機能の評価や病気の診断等に用いるものである。また、従来、このような呼気ガス分析装置として、パルス状の校正ガスを一定間隔で多数回放出し、流量に対してガス濃度が遅れて測定されるその遅れ時間ｔｄを平均することにより、ゆらぎなどによる誤差要因を排除し、遅れ時間ｔｄを正確に求めることを可能とする、呼気ガス分析装置が提案されている（特許文献１を参照）。
【先行技術文献】
【特許文献】
【０００３】
【特許文献１】特開２０１４−１８６２２号公報
【発明の概要】
【発明が解決しようとする課題】
【０００４】
従来、呼気ガス分析装置では、既知のガス濃度を有する校正ガス（例えば、酸素濃度が１５％、二酸化炭素濃度が５％等）および大気ガスを用いて、測定ガスの測定値と真値との関係（関係式）を求めることにより、ガス濃度の校正が行われていた。この際、大気ガスの組成は、例えば、酸素濃度が２０．９３％、二酸化炭素濃度が０．０４％のように、ある一定の既知濃度のガス組成であることを前提として、当該既知濃度（真値）と測定値との関係が求められていた。
【０００５】
しかし、使用環境が室内の場合は特に、室内サイズおよび室内人数等の環境因子により、一般的には既知で一定であると考えられている大気のガス濃度は一定とならず、例えば、二酸化炭素濃度については、０．０４％ではなく、環境因子により上昇する傾向がある。このような環境因子による大気ガス濃度の変化が、上記校正を行う際に考慮されていないため、ガス濃度を使用するパラメータの測定（算出）精度の低下を招くという問題があった。
【０００６】
本開示は、上記した問題に鑑み、呼気ガス分析装置においてガス濃度の校正を精度良く行うことで、精度の高い呼気ガス分析データ（ガス濃度を使用するパラメータ）を得ることを課題とする。
【課題を解決するための手段】
【０００７】
本開示の一例は、呼気中の酸素および二酸化炭素の少なくとも一方である所定ガスのガス濃度を測定する呼気ガス濃度測定手段と、大気ガス中の酸素および二酸化炭素の少なくとも一方である所定ガスのガス濃度を測定する大気ガス濃度測定手段と、大気ガスおよび既知のガス濃度を有する校正ガスを用いて、前記呼気ガス濃度測定手段によるガス濃度測定値とガス濃度真値との関係式を算出し、該関係式に基づき呼気中の前記所定ガスのガス濃度を校正する校正手段と、を備え、前記校正手段は、前記大気ガス濃度測定手段により測定された大気ガス中の前記所定ガスのガス濃度を、大気ガス中の該所定ガスのガス濃度真値として前記関係式を算出する呼気ガス分析装置。
である。
【０００８】
本開示は、情報処理装置、システム、コンピューターによって実行される方法またはコンピューターに実行させるプログラムとして把握することが可能である。また、本開示は、そのようなプログラムをコンピューター、その他の装置、機械等が読み取り可能な記録媒体に記録したものとしても把握できる。ここで、コンピューター等が読み取り可能な記録媒体とは、データやプログラム等の情報を電気的、磁気的、光学的、機械的または化学的作用によって蓄積し、コンピューター等から読み取ることができる記録媒体をいう。
【発明の効果】
【０００９】
本開示によれば、呼気ガス分析装置においてガス濃度の校正を精度良く行うことで、精度の高い呼気ガス分析データ（ガス濃度を使用するパラメータ）を得ることが可能となる。
【図面の簡単な説明】
【００１０】
【図１】実施形態に係る呼気ガス分析装置の構成を示す概略図である。
【図２】実施形態に係る呼気ガス分析装置の機能構成の概略を示す図である。
【図３】実施形態に係るガス濃度の校正処理の流れの概要を示すフローチャートである。
【図４】実施形態に係る二酸化炭素濃度の測定値と真値との関係を示す図である。
【図５】実施形態に係る酸素濃度の測定値と真値との関係を示す図である。
【図６】従来の二酸化炭素濃度の測定値と真値との関係（大気ガス濃度の変動考慮なし）を示す図である。
【図７】従来の呼気ガス分析装置の構成を示す概略図である
【図８】従来の呼気ガス分析装置におけるガス濃度校正時の出力電圧の波形を示す図である。
【図９】従来の呼気ガス分析装置における二酸化炭素濃度の測定値と真値との関係を示す図である。
【発明を実施するための形態】
【００１１】
以下、本開示に係る呼気ガス分析装置および方法の実施の形態を、図面に基づいて説明する。但し、以下に説明する実施の形態は、実施形態を例示するものであって、本開示に係る呼気ガス分析装置および方法を以下に説明する具体的構成に限定するものではない。実施にあたっては、実施の態様に応じた具体的構成が適宜採用され、また、種々の改良や変形が行われてよい。
【００１２】
本実施形態では、本開示に係る呼気ガス分析装置および方法を、呼吸代謝測定用の呼気ガス分析装置において実施した場合の実施の形態について説明する。但し、本開示に係る呼気ガス分析装置は、呼吸気中の測定対象ガスのガス濃度およびガス量等を分析するための技術について広く用いることが可能であり、本開示の適用対象は、本実施形態において示した例に限定されない。
【００１３】
＜従来技術＞
以下、従来の呼気ガス分析装置におけるガス濃度の校正方法の例について、図面を参照しつつ説明する。校正時に使用される校正用ガスとしては、通常、大気ガスおよび大気ガスとはガス組成が異なる所定ガス濃度を有する校正ガスが用いられる。従来、呼気分析装置において、校正用ガスである大気ガスについては、実大気を取り込み、校正用ガスである校正ガスについては、校正用混合ガスに係るガスボンベを使用することでガス濃度の校正を行っている。
【００１４】
図７は従来の呼気ガス分析装置の構成を示す概略図である。呼気ガス分析装置９１は、本体９２、フローセンサー９３、校正器９４および情報処理装置９５を備える。また、本体９２は、酸素センサー９２Ａおよび二酸化炭素センサー９２Ｂを備える。
【００１５】
本体９２は、呼気ガス分析装置９１の本体部であり、酸素センサー９２Ａおよび二酸化炭素センサー９２Ｂに例示される、被験者の呼気に含まれる測定対象ガスのガス濃度を測定するセンサーを備える。本体９２は、フローセンサー９３に接続されており、フローセンサー９３に接続された呼吸気マスク等の呼吸気採取部により採取された被験者の呼気を、本体９２に導入することで、当該呼気中の測定対象ガスのガス濃度を測定する。また、本体９２は、ガス濃度の校正時に使用される校正ガスを供給する校正器９４と接続され、校正器９４からサンプリングチューブ等を介して当該校正ガスが本体９２に導入されることで、校正ガス中の測定対象ガスのガス濃度を測定する。さらに、本体９２は、一定量のガスを取り込むポンプ等を備えており、当該ポンプによりサンプリングチューブ等を介して大気ガスを取り込むことで、大気ガス中の測定対象ガスのガス濃度を測定する。
【００１６】
また、本体９２は、フローセンサー９３により測定されたガス呼吸気の流速（流量）を電気信号に変換するＡ／Ｄ変換器、ＣＰＵから構成される演算装置、ＲＯＭ、ＲＡＭ、ハードディスク等の記憶装置、記憶装置に記憶（格納）された所定のプログラムおよび無線通信機器や有線通信機器等の通信装置等を備えており、記憶装置に記憶されたプログラムがＣＰＵによって実行されることで、本体９２の有する各機能が実行される。
【００１７】
酸素センサー９２Ａは、呼気およびガス濃度の校正時に使用される校正用ガスに含まれる酸素の濃度を測定するセンサーであり、二酸化炭素センサー９２Ｂは、呼気および前記校正用ガスに含まれる二酸化炭素の濃度を測定するセンサーである。
【００１８】
フローセンサー９３は、呼吸器マスク等の呼吸器採取部（図示省略）に接続されており、当該呼吸気採取部により採取された被験者の呼吸気の流速（流量）を測定する。
【００１９】
校正器９４は、本体９２に接続され、ガス濃度の校正を行うために使用される校正ガスを、測定対象ガスを測定するセンサーに供給する。具体的には、校正器９４は、校正器９４内の電磁弁を開放することにより、校正器に接続されたガスボンベ中の校正ガスを、本体９２の酸素センサー９２Ａおよび二酸化炭素センサー９２Ｂに供給する。また、校正器９４は、ＣＰＵから構成される演算装置、ＲＯＭ、ＲＡＭ、ハードディスク等の記憶装置、記憶装置に記憶（格納）された所定のプログラム、電磁弁やガスチューブ等の校正ガス供給装置および無線通信機器や有線通信機器等の通信装置等を備えており、記憶装置に記憶されたプログラムがＣＰＵによって実行されることで、校正器９４の有する各機能が実行される。
【００２０】
情報処理装置９５は、酸素センサー９２Ａおよび二酸化炭素センサー９２Ｂにおけるガス濃度測定値とガス濃度真値との関係（関係式）を求めることでガス濃度の校正を行う。また、情報処理装置９５は、呼吸気の流速（流量）、酸素濃度測定値および二酸化炭素濃度測定値等を用いることで、各種呼気ガス分析データ（ガス濃度やガス量を使用するパラメータ）を算出する。情報処理装置９５は、データを入力するための入力装置、処理されたデータを出力するための出力装置、ＣＰＵから構成される演算装置、ＲＯＭ、ＲＡＭ、ハードディスク等の記憶装置、記憶装置に記憶（格納）された所定のプログラムおよび無線通信機器や有線通信機器等の通信装置等を備えており、記憶装置に記憶されたプログラムがＣＰＵによって実行されることで、情報処理装置９５の有する各機能が実行される。
【００２１】
具体的には、情報処理装置９５は、本体９２に接続され、あるいは、接続可能となっており、本体９２から、ガス濃度校正時に酸素センサー９２Ａおよび二酸化炭素センサー９２Ｂにより測定された、校正用ガスに含まれる酸素のガス濃度測定値および二酸化炭素のガス濃度測定値を受け取る。情報処理装置９５では、これらの測定値に基づき、ガス濃度の真値と測定値の関係式が求められることで、ガス濃度の校正が行われる。
【００２２】
また、情報処理装置９５は、本体９２から、酸素センサー９２Ａおよび二酸化炭素センサー９２Ｂにより測定された、呼気中の酸素濃度測定値および二酸化炭素濃度測定値やフローセンサー９３により測定された呼吸気流量測定値を受け取る。情報処理装置９５では、これらの測定値を前記関係式にあてはめることで、呼気中の酸素および二酸化炭素の各ガス濃度真値を求め、当該ガス濃度真値を用いることで、分時酸素摂取量、分時二酸化炭素排泄量、分時呼気換気量等の呼気ガス分析データを算出する。
【００２３】
なお、本実施形態における「真値」とは、「真の値と想定される値」、即ち「測定誤差が生じないガス濃度測定部によって測定され得る値」であり、実測値として取り扱う値を意味する 。
【００２４】
図８は、従来の呼気ガス分析装置におけるガス濃度校正時の出力電圧の波形を示す図である。図８に示されるように、初めの約１０秒間大気の取り込みが行われ、その後校正ガスの取り込みが行われる。従来の呼気ガス分析装置では、まず実大気（空気）が本体９２に取り込まれ、酸素センサー９２Ａおよび二酸化炭素センサー９２Ｂにより、大気中の酸素濃度および二酸化炭素濃度の測定値として、それぞれ単位時間当たりの平均電圧値（またはガス濃度）が出力される。従来の呼気ガス分析装置では、以下で詳述されるように、この実大気のガス濃度の真値を既知の濃度（例えば、酸素濃度が２０．９３％、二酸化炭素濃度が０．０４％）として、その測定値との関係式が求められる。
【００２５】
次に、校正器９４により校正ガスが本体９２に取り込まれ、酸素センサー９２Ａおよび二酸化炭素センサー９２Ｂにより、校正ガス中の酸素濃度および二酸化炭素濃度の測定値として、それぞれ単位時間当たりの平均電圧値（またはガス濃度）が出力される。ここで、校正ガスは、大気ガスとはガス組成が異なる所定ガス濃度を有する校正用ガスであり、例えば、酸素濃度が約１５％、二酸化炭素濃度が約５％等の既知のガス濃度を有する校正ガスに例示される。
【００２６】
そして、情報処理装置９５において、ガス濃度測定値とガス濃度真値との関係（関係式）が求められる。具体的には、酸素（センサー）および二酸化炭素（センサー）各々について、大気ガス測定時（測定点Ａ）および校正ガス測定時（測定点Ｂ）の２点における測定値およびその真値を用いることで、当該２点を通る一次関数（ｙ＝ａｘ＋ｂ）が求められる。
【００２７】
図９は従来の呼気ガス分析装置における二酸化炭素濃度の測定値と真値との関係を示す図である。図９は、横軸（ｘ）をガス濃度の真値（％）とし、縦軸（ｙ）をセンサーによる測定値（出力電圧）（Ｖ）とする。また、酸素濃度の測定値と真値との関係も図９と同様に求められる。
【００２８】
図９に示されるように、大気ガス測定時（測定点Ａ）において、二酸化炭素濃度の真値は、既知濃度である０．０４％であり、測定値は２３５０ｍＶである。また、同様に、校正ガス測定時（測定点Ｂ）において、二酸化炭素濃度の真値は、既知濃度である５．０％であり、測定値は２７００ｍＶである。情報処理装置９５では、これらの測定値および真値を用いることで、上記２点を通過する一次関数（ｙ＝ａｘ＋ｂ、ａおよびｂは定数）が求められる。そして、例えば、二酸化炭素であれば、０．０４％から５．０％の間にある呼気二酸化炭素濃度が、呼気ガス測定時の二酸化炭素センサー９２Ｂの出力電圧により求められる。具体的には、二酸化炭素センサー９２Ｂで測定された呼気ガス中の二酸化炭素濃度を示す出力電圧値を、上記で求めた関係式のｙにあてはめることで、呼気中の二酸化炭素濃度真値（ｘ）を求めることができる。
【００２９】
このように、従来の呼気ガス分析装置では、ガス濃度の測定値と真値との関係を求める際、大気ガスのガス濃度真値をある一定の既知の濃度と仮定してしまうため、環境因子により大気のガス濃度、例えば、二酸化炭素濃度が０．０４％ではなく上昇している場合等に、上記で求めた関係式では不十分である（精度が悪い）という問題があった。さらに、当該関係式を精度良く求めることが出来なければ、当該関係式を用いて算出されたガス濃度を使用するパラメータの算出精度の低下を招くという問題もあった。
【００３０】
＜システムの構成＞
図１は、本実施形態に係る呼気ガス分析装置の構成を示す概略図である。本実施形態に係る呼気ガス分析装置１は、本体２、フローセンサー３、校正器４および情報処理装置５を備える。また、本体２は、酸素センサー２Ａおよび二酸化炭素センサー２Ｂを備え、校正器４は、二酸化炭素センサー４Ａを備える。以下、呼気ガス分析装置１のハードウェア構成に関して説明するが、呼気ガス分析装置１の具体的なハードウェア構成は、実施の態様に応じて適宜省略や置換、追加が可能である。また、本体２、校正器４および情報処理装置５は、単一の筐体からなる装置に限定されず、所謂クラウドや分散コンピューティングの技術等を用いた、複数の装置によって実現されてよい。
【００３１】
本体２は、呼気ガス分析装置１の本体部であり、酸素センサー２Ａおよび二酸化炭素センサー２Ｂに例示される、被験者の呼気に含まれる測定対象ガスのガス濃度を測定するセンサーを備える。本体２は、フローセンサー３に接続されており、フローセンサー３に接続された呼吸気マスク等の呼吸気採取部により採取された被験者の呼気を、本体２に導入することで、当該呼気中の測定対象ガスのガス濃度を測定する。また、本体２は、ガス濃度の校正時に使用される校正ガス（大気ガスとはガス組成が異なる所定ガス濃度を有する校正ガス）を供給する校正器４と接続され、校正器４からサンプリングチューブ等を介して当該校正ガスが本体２に導入されることで、校正ガス中の測定対象ガスのガス濃度を測定する。さらに、本体２は、一定量のガスを取り込むポンプ等を備えており、当該ポンプによりサンプリングチューブ等を介して大気ガスを取り込むことで、大気ガス中の測定対象ガスのガス濃度を測定する。
【００３２】
また、本体２は、フローセンサー３により測定された呼吸気の流速（流量）を電気信号に変換するＡ／Ｄ変換器、ＣＰＵから構成される演算装置、ＲＯＭ、ＲＡＭ、ハードディスク等の記憶装置、記憶装置に記憶（格納）された所定のプログラムおよび無線通信機器や有線通信機器等の通信装置等を備えており、記憶装置に記憶されたプログラムがＣＰＵによって実行されることで、本体２の有する各機能が実行される。
【００３３】
酸素センサー２Ａは、呼気および校正用ガスに含まれる酸素の濃度を測定するセンサーであり、二酸化炭素センサー２Ｂは、呼気および校正用ガスに含まれる二酸化炭素の濃度を測定するセンサーである。二酸化炭素センサー２Ｂは、例えば、非分散型赤外線吸収式（ＮＤＩＲ、ｎоｎ  ｄｉｓｐｅｒｓｉｖｅ  ｉｎｆｒａｒｅｄ）センサーである。なお、本実施形態では、本体２が酸素センサー２Ａおよび二酸化炭素センサー２Ｂの両者を備えるようにしたが、これに限定されるものではなく、いずれか一方のセンサーを備えるようにしてもよい。
【００３４】
フローセンサー３は、呼吸器マスク等の呼吸器採取部（図示省略）に接続されており、当該呼吸気採取部により採取された被験者の呼吸気の流速（流量）を測定する。
【００３５】
校正器４は、二酸化炭素センサー４Ａに例示される、大気ガスに含まれる測定対象ガスのガス濃度を測定するセンサーを備える。二酸化炭素センサー４Ａは、例えば、非分散型赤外線吸収式（ＮＤＩＲ）センサーであり、校正器４内（または校正器４外）の大気ガスに含まれる二酸化炭素のガス濃度を測定する。また、校正器４は、本体２に接続され、校正ガスを、測定対象ガスを測定するセンサーに供給する。具体的には、校正器４は、校正器４内の電磁弁を開放することにより、校正ガスを本体２の酸素センサー２Ａおよび二酸化炭素センサー２Ｂに供給する。なお、校正ガスの供給方法および大気ガスの導入方法は、本実施形態に示された方法に限定されるものではなく、各センサーに測定対象となるガスが供給（導入）されるものであれば、種々の方法が採用されてもよい。
【００３６】
また、校正器４は、ＣＰＵから構成される演算装置、ＲＯＭ、ＲＡＭ、ハードディスク等の記憶装置、記憶装置に記憶（格納）された所定のプログラム、電磁弁やガスチューブ等の校正ガス供給装置および無線通信機器や有線通信機器等の通信装置等を備えており、記憶装置に記憶されたプログラムがＣＰＵによって実行されることで、校正器４の有する各機能が実行される。
【００３７】
二酸化炭素センサー４Ａは、大気ガス中の二酸化炭素のガス濃度を測定するセンサーであり、その性質上、呼気を測定する高速タイプのセンサーである必要はないため、二酸化炭素センサー４Ａには、汎用タイプの二酸化炭素センサーが用いられてもよい。この汎用タイプの二酸化炭素センサー４Ａは、呼気測定用の高速タイプの二酸化炭素センサー２Ｂと比較し、ガス濃度測定精度が高く、精度良く大気ガスのガス濃度を測定可能である。例えば、呼気測定用の二酸化炭素センサー２Ｂは、ガス濃度０．０４％に対する誤差範囲が±０．２６％であるが、二酸化炭素センサー４Ａは、ガス濃度０．０４％に対する誤差範囲が±０．０７５％である。
【００３８】
また、汎用タイプの二酸化炭素センサー４Ａは、呼気用の二酸化炭素センサー２Ｂより比較的安価であるため、二酸化炭素センサー４Ａを呼気ガス分析装置１（校正器４）に搭載する際も、二酸化炭素センサー２Ｂと同種の二酸化炭素センサーを搭載する場合と比較し、コストダウンを図ることが可能となる。また、呼気ガス分析装置１に、二酸化炭素センサー２Ｂおよび二酸化炭素センサー４Ａの２種類の二酸化炭素センサーを搭載することで、これら２つの二酸化炭素センサーによりクロスチェックを行い、センサーの故障等を推測することも可能となる。例えば、２つのセンサーにより計測される値にお互いの計測精度以上の差が生じる場合は、センサーの故障と判断する等の推定が可能となる。
【００３９】
なお、本実施形態では、大気ガスのガス濃度を測定するための二酸化炭素センサー４Ａを校正器４に搭載したが、これに限定されるものではなく、本体２に搭載されていてもよい。また、本体２と校正器４は、別体（別装置）でなく、一体（同一装置）であってもよい。さらに、本実施形態では、大気ガスのガス濃度を測定するために校正器４に備えるセンサーを二酸化炭素センサーとしたが、これに限定されるものではなく、酸素センサーであっても、酸素センサーおよび二酸化炭素センサーの両者を備えるようにしてもよい。
【００４０】
情報処理装置５は、酸素センサー２Ａおよび二酸化炭素センサー２Ｂにおけるガス濃度測定値とガス濃度真値との関係（関係式）を求めることでガス濃度の校正を行う。また、情報処理装置５は、呼吸気の流速（流量）、酸素濃度測定値および二酸化炭素濃度測定値等を用いることで、各種呼気ガス分析データ（ガス濃度やガス量を使用するパラメータ）を算出する。情報処理装置５は、データを入力するための入力装置、処理されたデータを出力するための出力装置、ＣＰＵから構成される演算装置、ＲＯＭ、ＲＡＭ、ハードディスク等の記憶装置、記憶装置に記憶（格納）された所定のプログラムおよび無線通信機器や有線通信機器等の通信装置等を備えており、記憶装置に記憶されたプログラムがＣＰＵによって実行されることで、情報処理装置５の有する各機能が実行される。
【００４１】
具体的には、情報処理装置５は、校正器４に接続され、校正器４から、ガス濃度校正時に二酸化炭素センサー４Ａにより測定された、校正用ガス（大気ガス）に含まれる二酸化炭素のガス濃度測定値を受け取る。また、情報処理装置５は、本体２に接続され、あるいは、接続可能となっており、本体２から、ガス濃度校正時に酸素センサー２Ａおよび二酸化炭素センサー２Ｂにより測定された、校正用ガス（大気ガスおよび校正ガス）に含まれる酸素のガス濃度測定値および二酸化炭素のガス濃度測定値を受け取る。情報処理装置５では、これらの測定値に基づき、ガス濃度の真値と測定値の関係式が求められることで、ガス濃度の校正が行われる。
【００４２】
また、情報処理装置５は、本体２から、酸素センサー２Ａおよび二酸化炭素センサー２Ｂにより測定された、呼気中の酸素濃度測定値および二酸化炭素濃度測定値やフローセンサー３により測定された呼吸気流速（流量）測定値を受け取る。情報処理装置５では、これらの測定値を前記関係式にあてはめることで、呼気中の酸素および二酸化炭素の各ガス濃度真値を求め、当該ガス濃度真値を用いることで、分時酸素摂取量、分時二酸化炭素排泄量、分時呼気換気量等の呼気ガス分析データを算出する。
【００４３】
図２は、本実施形態に係る呼気ガス分析装置１の機能構成の概略を示す図である。本実施形態では、本体２、フローセンサー３、校正器４および情報処理装置５の備える各機能は、汎用プロセッサであるＣＰＵによって実行されるが、これらの機能の一部または全部は、１または複数の専用プロセッサによって実行されてもよい。
【００４４】
本体２は、記憶装置に記憶されたプログラムがＣＰＵによって実行され、本体２に備えられた各ハードウェアが制御されることで、本体２におけるセンサー等の各ハードウェアを制御する制御部２１、フローセンサー３にて測定された呼吸気の流速（流量）を電気信号に変換するＡ／Ｄ変換部２２、呼気や校正用ガスに含まれる酸素のガス濃度を測定する酸素濃度測定部２３、呼気や校正用ガスに含まれる二酸化炭素のガス濃度を測定する二酸化炭素濃度測定部２４、呼吸気流速（流量）、酸素濃度、二酸化炭素濃度の測定値等を記憶する記憶部２５および各種データの通信（送受信）を行う通信部２６等として機能する。
【００４５】
酸素濃度測定部２３および二酸化炭素濃度測定部２４は、本願の発明の「呼気ガス濃度測定手段」の一例である。なお、呼吸代謝測定用の呼気ガス分析において、呼気中の酸素および二酸化炭素の少なくとも一方である所定ガスのガス濃度のみを測定するようにしてもよい。よって、本体２は、「呼気ガス濃度測定手段」として、酸素濃度測定部２３および二酸化炭素濃度測定部２４のどちら一方のみを備えるようにしてもよい。
【００４６】
フローセンサー３は、被験者の呼吸気の流速（流量）を測定する呼吸気量測定部３１等として機能する。
【００４７】
校正器４は、記憶装置に記憶されたプログラムがＣＰＵによって実行され、校正器４に備えられた各ハードウェアが制御されることで、校正器４におけるセンサー等の各ハードウェアを制御する制御部４１、校正用ガス（大気ガス）に含まれる二酸化炭素のガス濃度を測定する二酸化炭素濃度測定部４２、本体２および二酸化炭素濃度測定部４２へ校正ガスを供給する校正ガス供給部４３、二酸化炭素濃度の測定値等を記憶する記憶部４４および各種データの通信（送受信）を行う通信部４５等として機能する。
【００４８】
なお、二酸化炭素濃度測定部４２は、本願の発明の「大気ガス濃度測定手段」の一例である。本開示に係る呼気ガス分析装置１では、大気ガス中の酸素および二酸化炭素の少なくとも一方である所定ガスのガス濃度を測定し、この測定された値を、本来既知で一定であると考えられている大気のガス濃度の真値とする。この際、大気ガス中の酸素および二酸化炭素のいずれか一方を測定し、他方を計算により求めることが可能であるため、本実施形態に係る呼気ガス分析装置１は、「大気ガス濃度測定手段」として二酸化炭素濃度測定部４２を備えるが、これに限定されるものではなく、二酸化炭素濃度測定部４２に加え酸素濃度測定部を備えてもよく、また、酸素濃度測定部のみを備えるようにしてもよい。
【００４９】
情報処理装置５は、記憶装置に記憶されたプログラムがＣＰＵによって実行され、情報処理装置５に備えられた各ハードウェアが制御されることで、情報処理装置５における各ハードウェアを制御する制御部５１、データ等を入力する入力部５２、処理されたデータ等を出力する出力部５３、計測された各種データを用いてデータ処理を行うデータ処理部５４、ガス濃度の真値および測定値との関係（関係式）を求める校正部５５、本体２および校正器４における測定値や各呼気ガス分析データ等を記憶する記憶部５６ならびに各種データの通信（送受信）を行う通信部５７等として機能する。
【００５０】
校正部５５は、二酸化炭素濃度測定部４２に例示される大気ガス濃度測定手段により測定された大気ガス中の所定ガスのガス濃度を、校正を行う際に使用する、大気ガス中の所定ガスのガス濃度真値とすることで、呼気中の所定ガスのガス濃度を校正する。具体的には、校正部５５は、酸素濃度測定部２３および二酸化炭素濃度測定部２４に例示される呼気ガス濃度測定手段による測定ガスのガス濃度測定値および当該測定ガスのガス濃度真値との関係式を求めることで、呼気中の所定ガスのガス濃度を校正する。また、データ処理部５４は、前記関係式に基づき校正された呼気中の所定ガスのガス濃度を用いて、各種呼気ガス分析データを算出する。
【００５１】
当該関係式は、酸素および二酸化炭素各々について、大気ガス測定時（測定点Ａ）および校正ガス測定時（測定点Ｂ）の２点における測定値およびその真値を用いることで、当該２点を通る一次関数（一次式）として求められる。なお、本実施形態では、測定点を２点とし、この２点を通る一次式を求めることとしたが、これに限定されるものではない。例えば、大気ガスおよび校正ガスのガス濃度測定をそれぞれ複数回行う場合や大気ガスに加えてガス濃度が異なる２種類の校正ガスを使用する場合等も想定されるため、３点以上の測定点を設け、一次回帰式や曲線近似等により対応関係（関係式）を求めるようにしてもよい。
【００５２】
本実施形態では、校正部５５は、校正用ガスである大気ガスのガス濃度真値として、一般的に既知とされているガス濃度（例えば、酸素濃度が２０．９３％、二酸化炭素濃度が０．０４％）を用いるのではなく、二酸化炭素濃度測定部４２により実際に大気ガスのガス濃度を測定した値を用いる。そのため、室内人数等の環境因子により、大気ガス濃度が上記既知濃度から変動した場合にも、その大気ガスのガス濃度を実測し、測定されたガス濃度実測値を当該ガス濃度の真値とすることが出来るため、精度よくガス濃度の測定値および真値との関係式を求めることが可能である。即ち、このようにして求められた関係式を用いて呼気ガス濃度を校正することにより、大気二酸化炭素の変動による誤差を消し込むことが可能となる。
【００５３】
＜処理の流れ＞
次に、本実施形態に係る呼気ガス分析装置によって実行される処理の流れを、フローチャートを用いて説明する。なお、以下に説明するフローチャートに示された処理の具体的な内容及び処理順序は、本開示を実施するための一例である。具体的な処理内容および処理順序は、本開示の実施の形態に応じて適宜選択されてよい。
【００５４】
図３は、本実施形態に係るガス濃度の校正処理の流れの概要を示すフローチャートである。本実施形態に係るガス濃度の校正処理は、ユーザーから校正処理を開始する指示に係るデータが入力されたこと等を契機として実行される。
【００５５】
ステップＳ１０１では、大気ガス中の測定対象ガス（二酸化炭素）のガス濃度真値（実大気二酸化炭素濃度）とされるガス濃度が測定される。校正器４における二酸化炭素濃度測定部４２は、大気ガス中の二酸化炭素のガス濃度（％）を測定する。本実施形態では、例えば、二酸化炭素濃度測定部４２は、大気ガス中の二酸化炭素濃度として測定値０．２％を取得する。なお、この測定された大気ガス中の二酸化炭素濃度は、呼気ガス分析時の、吸気ガス二酸化炭素分画濃度（ＦＩＣＯ２）として取り扱うことが可能となる。その後、処理はステップＳ１０２へ進む。
【００５６】
ステップＳ１０２では、大気ガス中の酸素のガス濃度真値（実大気酸素濃度）が算出される。一般環境における大気ガスの主要成分は、窒素、酸素、二酸化炭素、アルゴンであり、これらのガスにより大気ガスの約９９％のガス組成を担う。即ち、これらのガスのガス濃度を全て加算した値は約９９％となる。室内環境においては、窒素とアルゴンは発生源および消費源が無いことから不変とすると、酸素および二酸化炭素のガス濃度を加算した値は、定数（Ａ）と考えられるため、二酸化炭素の増加は酸素の減少ということが言える。これより、情報処理装置５における校正部５５は、ステップＳ１０２で測定された大気ガス中の二酸化炭素濃度ｘ（％）を受け取ると、大気ガス中の酸素濃度真値ｙ（％）を以下の式により算出する。
2020192191.tif 000003
【００５７】
なお、Ａは大気酸素濃度と大気二酸化炭素濃度を加算した値であれば、任意に設定可能であり、本実施形態では、２０．９７％を採用する。定数Ａを２０．９７％とし、ステップＳ１０１において、大気ガス中の二酸化炭素濃度ｘとして測定値０．２％を取得すると、校正部５５は、上述の式により、大気ガス中の酸素濃度真値ｙを２０．７７％と算出する。なお、この算出された大気ガス中の酸素濃度は、呼気ガス分析時の、吸気ガス酸素分画濃度（ＦＩＯ２）として取り扱いが可能となる。なお、ステップＳ１０２における処理は、ステップＳ１０７におけるガス濃度真値およびガス濃度測定値との関係式算出の際に行われるようにしてもよい。その後、処理はステップＳ１０３へ進む。
【００５８】
ステップＳ１０３では、本体２において大気ガス中の測定対象ガス（酸素、二酸化炭素）のガス濃度が測定される。本体２における酸素濃度測定部２３および二酸化炭素濃度測定部２４は、本体２内のポンプ等によりサンプリングチューブ等を介して取り込まれた大気ガス中の酸素および二酸化炭素のガス濃度をそれぞれ測定する。本実施形態では、例えば、酸素濃度測定部２３は、大気ガス中の酸素濃度出力値として測定値１．５Ｖを取得し、二酸化炭素濃度測定部２４は、大気ガス中の二酸化炭素濃度として測定値０．１％を取得する。その後、処理はステップＳ１０４へ進む。
【００５９】
ステップＳ１０４では、校正用ガスである校正ガスが、本体２における酸素濃度測定部２３および二酸化炭素濃度測定部２４へ供給される。サンプリングチューブ等により本体２と校正器４が接続されると、校正ガス供給部４３は、校正ガスを、校正器４から酸素濃度測定部２３および二酸化炭素濃度測定部２４へ供給する。本実施形態では、酸素濃度が１５％、二酸化炭素濃度が５％のガス濃度を有する校正ガスを採用する。その後、処理はステップＳ１０５へ進む。
【００６０】
ステップＳ１０５では、本体２において校正ガス中の測定対象ガス（酸素、二酸化炭素）のガス濃度が測定される。本体２における酸素濃度測定部２３および二酸化炭素濃度測定部２４は、校正ガス供給部４３により供給された校正ガス中の酸素および二酸化炭素のガス濃度をそれぞれ測定する。例えば、酸素濃度測定部２３は、校正ガス中の酸素濃度出力値として測定値１．０Ｖを取得し、二酸化炭素濃度測定部２４は、校正ガス中の二酸化炭素濃度として測定値４．５％を取得する。
【００６１】
なお、ステップＳ１０３とステップＳ１０４〜Ｓ１０５は順不同であり、本体２へ校正ガスが供給されガス濃度が測定された後に、本体２で大気ガスのガス濃度が測定されるようにしてもよい。その後、処理はステップＳ１０６へ進む。
【００６２】
ステップＳ１０６では、測定対象ガス（酸素、二酸化炭素）に係るガス濃度測定値とガス濃度真値との関係（関係式）が求められる。校正部５５は、酸素および二酸化炭素の各々について、大気ガス測定時（測定点Ａ）および校正ガス測定時（測定点Ｂ）の２点における測定値およびその真値を用いることで、当該２点を通る一次関数（一次式）を求める。ガス濃度測定値（ｘ）とガス濃度真値（ｙ）との関係式（一次関数）は以下の式で表される。
2020192191.tif 000004
Ｘａ：大気ガス（濃度）測定値
Ｙｂ：大気ガス（濃度）真値
Ｘａ’：校正ガス（濃度）測定値
Ｙｂ’：校正ガス（濃度）真値
【００６３】
図４は、本実施形態に係る二酸化炭素濃度の測定値と真値との関係を示す図である。図４は、横軸（ｘ）を二酸化炭素濃度の測定値（％）とし、縦軸（ｙ）を二酸化炭素濃度の真値（％）とするが、ガス濃度の真値と測定値との関係を示せるものであればこれに限定されるものではなく、ｘ軸とｙ軸の示す項目が逆であってもよい。また、二酸化炭素濃度の測定値はガス濃度（％）に限定されず、ガス濃度に対応する出力電圧（Ｖ）等であってもよく、二酸化炭素濃度測定値としてのガス濃度に対応する出力電圧（Ｖ）と二酸化炭素濃度真値（％）との関係式が求められてもよい。
【００６４】
図４に示されるように、大気ガス測定時（測定点Ａ）において、二酸化炭素濃度の真値（Ｙｂ）は、実大気二酸化炭素濃度としてステップＳ１０１で測定された０．２％であり、二酸化炭素濃度の測定値（Ｘａ）は、ステップＳ１０３で測定された０．１％である。また、校正ガス測定時（測定点Ｂ）において、二酸化炭素濃度の真値（Ｙｂ’）は、校正ガスの既知二酸化炭素濃度である５．０％であり、二酸化炭素濃度の測定値（Ｘａ’）は、ステップＳ１０５で測定された４．５％である。校正部５５は、これらの測定値および真値と上記関係式を用いることで、測定点Ａおよび測定点Ｂの２点を通る一次関数を求める。
【００６５】
図５は、本実施形態に係る酸素濃度の測定値と真値との関係を示す図である。図５は、横軸（ｘ）を酸素濃度の測定値（出力電圧）（Ｖ）とし、縦軸（ｙ）を酸素濃度の真値（％）とするが、ガス濃度の真値と測定値との関係を示せるものであればこれに限定されるものではなく、ｘ軸とｙ軸の示す項目が逆であってもよい。また、酸素濃度の測定値は出力電圧（Ｖ）に限定されず、ガス濃度（％）等であってもよく、酸素濃度測定値としてのガス濃度（％）と酸素濃度真値（％）との関係式が求められてもよい。
【００６６】
図５に示されるように、大気ガス測定時（測定点Ａ）において、酸素濃度の真値（Ｙｂ）は、実大気酸素濃度としてステップＳ１０１で算出された２０．７７％であり、酸素濃度の測定値（Ｘａ）は、ステップＳ１０３で測定された１．５Ｖである。また、校正ガス測定時（測定点Ｂ）において、酸素濃度の真値（Ｙｂ’）は、校正ガスの既知酸素濃度である１５．０％であり、酸素濃度の測定値（Ｘａ’）は、ステップＳ１０５で測定された１．０Ｖである。校正部５５は、これらの測定値および真値と上記関係式を用いることで、測定点Ａおよび測定点Ｂの２点を通る一次関数を求める。その後、処理はステップＳ１０７へ進む。
【００６７】
ステップＳ１０７では、本体２において被験者の呼気ガス中の測定対象ガス（酸素、二酸化炭素）のガス濃度が測定される。本体２における酸素濃度測定部２３および二酸化炭素濃度測定部２４は、フローセンサー３に接続された呼吸気マスク等の呼吸気採取部により採取された被験者の呼気が本体２に導入されると、それぞれ当該呼気中の測定対象ガスのガス濃度を測定する。また、ステップＳ１０７では、被験者の呼吸気の流速（流量）が、呼吸気量測定部３１により測定され、Ａ／Ｄ変換部２２により電気信号に変換されるようにしてもよい。その後、処理はステップＳ１０８へ進む。
【００６８】
ステップＳ１０８では、呼気ガス濃度測定値をガス濃度の真値と測定値との関係式にあてはめることで、２つの測定点（Ａ、Ｂ）の間にある呼気ガス濃度真値が求められる。校正部５５は、ステップＳ１０７で測定された呼気ガス中の酸素濃度および二酸化炭素濃度の測定値（濃度値または出力電圧）を、それぞれ、ステップＳ１０６で求められた関係式のｘにあてはめることで、呼気ガス中の酸素濃度および二酸化炭素濃度の真値（ｙ）を算出する。なお、この算出された呼気ガス中の酸素濃度真値および二酸化炭素濃度真値は、それぞれ、呼気ガス分析時の呼気ガス酸素分画濃度（ＦＥＯ２）および呼気ガス二酸化炭素分画濃度（ＦＥＣＯ２）として取り扱いが可能となる。その後、処理はステップＳ１０９へ進む。
【００６９】
ステップＳ１０９では、各種呼気ガス分析データが算出される。データ処理部５５は、ステップＳ１０８で算出された呼気中の酸素濃度真値および二酸化炭素濃度真値を用いて、分時酸素摂取量、分時二酸化炭素排泄量、酸素摂取量／体重、酸素換気当量、二酸化炭素換気当量等の呼気ガス分析データを算出する。その後、本フローチャートに示された処理は終了する。
【００７０】
本実施形態では、大気ガス中の二酸化炭素が環境因子等により上昇した場合の例として、二酸化炭素濃度測定部４２により大気ガス中の二酸化炭素濃度が０．２％と測定され、当該ガス濃度値を大気ガス中の二酸化炭素濃度真値とする場合について説明した。ここで、図６は、従来の二酸化炭素濃度の測定値と真値との関係（大気ガス濃度の変動考慮なし）を示す図である。図６に示されるように、大気ガス濃度の変動を考慮しない従来の校正方法では、二酸化炭素が環境因子等により上昇している場合にも、大気ガス測定時（測定点Ａ）において、二酸化炭素濃度の真値は、一般的に既知濃度とされる０．０４％として、関係式が算出されてしまう。そのため、本実施形態における、環境因子等による二酸化炭素濃度の上昇を考慮した関係式（図４）は、図６に示される関係式と比較し、より精度の良い関係式であることが分かる。
【００７１】
上述した方法により、本体２（酸素濃度測定部２３、二酸化炭素濃度測定部２４）におけるガス濃度の測定値と当該ガス濃度の真値との関係（式）を求めることが可能となる。また、本実施形態では、大気ガスのガス濃度真値として、二酸化炭素濃度測定部４２による大気ガスのガス濃度測定値が用いられるため、環境因子により大気のガス濃度が一定とならならい場合にも、精度よくガス濃度の測定値および真値との関係式を求めることが可能である。また、精度よく前記関係式を求めることが可能となることで、当該関係式を用いて呼気ガス中のガス濃度真値を算出することにより、呼気ガス中のガス濃度真値を精度よく算出することができ、ひいては、当該ガス濃度真値を使用するパラメータである呼気ガス分析データを精度よく得ることが可能となる。
【符号の説明】
【００７２】
１  呼気ガス分析装置
２  本体
３  フローセンサー
４  校正器
５  情報処理装置
【図１】
2020192191.tif 000005
【図２】
2020192191.tif 000006
【図３】
2020192191.tif 000007
【図４】
2020192191.tif 000008
【図５】
2020192191.tif 000009
【図６】
2020192191.tif 000010
【図７】
2020192191.tif 000011
【図８】
2020192191.tif 000012
【図９】
2020192191.tif 000013